(57)【特許請求の範囲】
【請求項１】
水平状案内面の戸開き側端部より下向き傾斜状の傾斜状案内面が形成されてなる固定案内部を設けた固定本体部と，前記固定案内部に沿って移動自在で，常時戸締方向に弾性的に付勢され，前記傾斜状案内面で前記付勢に抗して仮停止する可動案内部からなる戸締具と、前記可動案内部に係合及び解除可能な係合ピンを設けた引戸とからなり、該引戸の戸締動作時には前記係合ピンが傾斜状案内面に仮停止状態の可動案内部と係合してこれを保持し、前記引戸の戸開き動作時では前記係合ピンは前記傾斜状案内面箇所で前記可動案内部と係合が解除されてなることを特徴とする引戸の戸締装置。
【請求項２】
水平状案内面と，該水平状案内面の戸開き側端より下向き傾斜状に形成された傾斜状案内面とからなる固定案内部を設けた固定本体部と，前記固定案内部に沿って移動自在とし弾性部材を介して常時戸締方向に付勢され，前記傾斜状案内面では前記付勢に抗して仮停止可能な可動案内部とからなる戸締具と、戸締動作では傾斜状案内面に仮停止状態の可動案内部に係合しこれを保持し，戸開き動作では傾斜状案内面箇所で係合が解除される係合ピンが設けられた引戸とからなることを特徴とする引戸の戸締装置。
【請求項３】
請求項１において、前記戸締具が装着される上部ガイド枠には上部ガイドレールを有し、前記引戸には前記上部ガイドレールに対応して回動する上部ガイド輪が装着され、前記係合ピンは上部ガイド輪の車軸と同一軸芯としてなることを特徴とする引戸の戸締装置。
【請求項４】
請求項１，２又は３において、前記可動案内部と、前記傾斜状案内面のいずれか一方には係止穴が形成され、他方には前記係止穴に係止する係止突起が形成されてなることを特徴とする引戸の戸締装置。
【請求項５】
請求項１，２又は３において、前記可動案内部と、前記傾斜状案内面にはそれぞれ磁性体を固着し、少なくともいずれか一方の磁性体は永久磁石としてなることを特徴とする引戸の戸締装置。
【発明の詳細な説明】
【０００１】
【発明の属する技術分野】
本発明は、食器棚，本棚，陳列棚等の種々の収納家具における引戸において、特に引戸が戸締側端部に近接することで引戸が移動し、引戸の戸締側端部における当接状態が確実に行われる引戸の戸締装置に関する。
【０００２】
【従来の技術】
従来より、食器棚，本棚，陳列棚等の種々の収納家具には、ガラス窓を備えた引戸が装着されることが多い。この引戸は、小さい間口の収納家具であれば、間口箇所の上下に下部ガイドレールが形成され、ガラス板の上下端部がその下部ガイドレールに挿入された極めて簡単な構造のものでよい。しかし、高級な家具では、引戸の開き及び締の動作にも重厚，且つ上品であることが要求される。特に引戸の締状態では、引戸の戸締側端部が家具側の枠に正確に当接するようにしなければならない。
【０００３】
【発明が解決しようとする課題】
そこで、引戸を戸締側に移動させた場合に戸締側端部位置に近接するに従い、その引戸に戸締側への付勢力がかかり、引戸が戸締側端部位置まで誘導され、正確な締状態にする戸締装置が存在する。ところが、この種の戸締装置は構造が複雑であり、部品が多くなり、組立が面倒であり、且つ高価なものとなる。本発明は、戸締動作をアシストする装置を簡単な構造で、且つ組付等が簡単に行えるようにすることを目的する。
【０００４】
【課題を解決するための手段】
そこで、発明者は、上記課題を解決すべく、鋭意，研究を重ねた結果、本発明を、水平状案内面の戸開き側端部より下向き傾斜状の傾斜状案内面が形成されてなる固定案内部を設けた固定本体部と，前記固定案内部に沿って移動自在で，常時戸締方向に弾性的に付勢され，前記傾斜状案内面で前記付勢に抗して仮停止する可動案内部からなる戸締具と、前記可動案内部に係合及び解除可能な係合ピンを設けた引戸とからなり、該引戸の戸締動作時には前記係合ピンが傾斜状案内面に仮停止状態の可動案内部と係合してこれを保持し、前記引戸の戸開き動作時では前記係合ピンは前記傾斜状案内面箇所で前記可動案内部と係合が解除されてなる引戸の戸締装置としたことにより、引戸が戸締側端部に近接することで引戸が移動し、引戸の戸締側端部における当接状態が確実に行われ、且つ装置全体の構造を簡単にすることができ、上記課題を解決したものである。
【０００５】
【発明の実施の形態】
以下、本発明の実施形態を図面に基づいて説明する。まず、本発明における戸締具Ａが装着される上部ガイド枠Ｂについて説明する。該上部ガイド枠Ｂは上枠部１と上部ガイドレール２とから構成される。上枠部１は、レール支持部１ａの幅方向一端側に立上り状に取付部１ｂが形成され幅方向他端側は立上側部１ｃが形成されている（図３参照）。
【０００６】
前記レール支持部１ａは、その上面が平坦面をなし、後述する上部ガイドレール２が載置される。前記取付部１ｂは、その断面形状が略逆Ｌ字形状をなしており、家具本体の開口上端に装着されるものである。また、立上側部１ｃは、上枠部１の内部を隠す役目をなしており、その立上側部１ｃの外面側は、化粧仕上げにすることが好適である。その上枠部１は、形鋼でありアルミ引き抜き加工によって成形されることが、製造性及び耐久性等の観点から好ましい。
【０００７】
上部ガイドレール２は、レールベース２ａ上に２本のレール部２ｂ，２ｂが形成されたものである。該レール部２ｂは、突出条タイプであり、後述するプーリタイプの上部ガイド輪１７に対応する。具体的には、レール部２ｂは、断面略半円形状に形成されたものである。該レール部２ｂ，２ｂは、所定間隔に設定されたもので、後述する第１引戸Ｃ1 と第２引戸Ｃ2 との間隔を適正に設定するものである。
【０００８】
その上部ガイドレール２は、前記上枠部１のレール支持部１ａ上に載置され、上枠部１の長手方向の両端箇所で押え具３を介して幅方向に移動可能となるように固定される。レールベース２ａの下面側は平坦状に形成されており、レール支持部１ａ上に滑り易い状態となっている。前記押え具３は、上枠部１の取付部１ｂ側にビス等の固着具を介して固着される。
【０００９】
次に、戸締具Ａは、固定本体部Ａ1 と可動案内部Ａ2 とから構成される。前記固定本体部Ａ1 は、主に固定ベース部５，固定案内部６，弾性部材収納部７及び取付部８とから構成される。また可動案内部Ａ2 は、主に摺動部９，係合部１０及びガイドピン１１から構成される。前記固定本体部Ａ1 において、固定ベース部５は略長方形状のプレート形状をなしている（図４，図５参照）。
【００１０】
該固定ベース部５には、固定案内部６が装着され、該固定案内部６は、水平状案内面６ａと傾斜状案内面６ｂとから構成されており、水平状案内面６ａの戸締側端より傾斜状案内面６ｂが連続形成されたものである。前記水平状案内面６ａは、水平，且つ平坦状の頂面に形成され、また前記傾斜状案内面６ｂは、前記水平状案内面６ａの戸開き側に向かって下向きに傾斜し，且つ平坦状の頂面に形成されたものである〔図５（Ａ），（Ｂ）参照〕。前記傾斜状案内面６ｂの傾斜角度は、およそ３０度乃至６０度程度の範囲が適当であるが、特にこの範囲に限定されるものではない。
【００１１】
そして、固定案内部６の水平状案内面６ａ及び傾斜状案内面６ｂには、後述する可動案内部Ａ2 が良好に摺動することができるようになっている。さらに、前記固定ベース部５には、前記固定案内部６の水平状案内面６ａと略平行するガイド孔５ａが形成されている。ここで、前記戸開き側及び戸締側について説明すると、戸開き側とは、引戸Ｃによって家具本体の間口を開く場合の移動方向を示すものであり、戸締側とは、引戸Ｃによって家具本体の間口を締る場合の移動方向を示すものである。
【００１２】
前記固定ベース部５と前記固定案内部６とは、適宜の間隔をおいて離間しており、前記可動案内部Ａ2 の下部が挿入，且つ摺動自在となる摺動用隙間部ｓが形成される。前記取付部８は、戸締具Ａを前記上部ガイド枠Ｂの上枠部１に固定する部位であり、ビス等が貫通する取付孔８ａ，８ａが形成されている。また、前記水平状案内面６ａと傾斜状案内面６ｂの下側と前記固定ベース部５とで囲まれた箇所は弾性部材収納部７となっており、弾性部材１２が収納される（図５参照）。該弾性部材１２は、具体的にはコイルスプリングが使用され、前記固定本体部Ａ1 に対して可動案内部Ａ2 を戸締方向に常時付勢するものである。
【００１３】
次に、可動案内部Ａ2 の摺動部９は、前記摺動用隙間部ｓに挿入されつつ、前記固定案内部６に沿って可動案内部Ａ2 を移動自在にガイドする部位である。その摺動部９には、摺動案内片９ａが形成され、該摺動案内片９ａが前記固定案内部６の水平状案内面６ａ及び傾斜状案内面６ｂの頂面に沿って摺動する。また、摺動案内片９ａが傾斜状案内面６ｂに達したときには、可動案内部Ａ2 は、その傾斜状案内面６ｂの傾斜に従う状態となる。
【００１４】
その摺動案内片９ａの上方には、係合部１０が形成されている。該係合部１０は、後述する引戸Ｃを係合ピン１９を介して戸締動作を補助するものである。その係合部１０には、第１係合片１０ａと第２係合片１０ｂが形成されている。その第１係合片１０ａは、前記係合部１０の戸開き側端に形成され、第２係合片１０ｂは戸締側端に形成される。
【００１５】
また、係合部１０の裏面側にはガイドピン１１が形成され、前記固定ベース部５に形成されたガイド孔５ａに挿入される。これによって、前記可動案内部Ａ2 は、前記摺動案内片９ａとガイドピン１１によって、水平状案内面６ａ上を正確且つ安定して移動することができるようになっている。そのガイドピン１１は、可動案内部Ａ2 の戸締側寄りに形成されており、可動案内部Ａ2 が傾斜状案内面６ｂに到達したときには、ガイドピン１１を略中心として傾斜状案内面６ｂに沿って傾斜状態になることができる。
【００１６】
その第１係合片１０ａ及び第２係合片１０ｂは、それぞれ円弧状に形成されているが、特に第１係合片１０ａは大きく突出しており、第２係合片１０ｂは僅かな大きさに突出形成されたものである。また、第２係合片１０ｂは、形成されず平坦状に形成されるタイプも存在する。その可動案内部Ａ2 は、前記摺動部９の下端に可動フック９ｂが形成されている。
【００１７】
また、前記固定ベース部５の隅角箇所には固定フック５ｂが形成され、前記可動フック９ｂと固定フック５ｂとの間に弾性部材１２が張設される。これによって、可動案内部Ａ2 は常時戸締側に向かって弾性的に付勢され、可動案内部Ａ2 は、水平状案内面６ａの戸締側端に位置することになる。前記固定ベース部５で且つ前記固定案内部６の上方には、上部固定案内部５ｃが形成されている。該上部固定案内部５ｃは前記固定案内部６と略平行となるように形成された部位である。
【００１８】
戸締具Ａは、上述したように可動案内部Ａ2 が固定本体部Ａ1 の固定案内部６に沿って移動自在とし、前記弾性部材１２により常時戸締側に向かって弾性的に付勢されるものであるが、その可動案内部Ａ2 が固定案内部６の傾斜状案内面６ｂに達したときには、前記付勢に抗して傾斜状案内面６ｂ箇所に仮停止することができる。
【００１９】
上記可動案内部Ａ2 の仮停止については、可動案内部Ａ2 が傾斜状案内面６ｂに位置している状態で、前記弾性部材１２による付勢力が可動案内部Ａ2 にかかり、該可動案内部Ａ2 は、前記傾斜状案内面６ｂに停止を保持することができることをいう。したがって、傾斜状案内面６ｂの傾斜角度は、可動案内部Ａ2 が前記弾性部材１２の付勢力を受けることにより傾斜状案内面６ｂに停止することができる程度の角度に設定される。この仮停止の保持力は、弾性部材１２による付勢力に対して僅かに勝る程度で充分であり、その僅かの力で、可動案内部Ａ2 は傾斜状案内面６ｂから水平状案内面６ａの戸締側端に移動することができる。
【００２０】
また、前記可動案内部Ａ2 と、前記傾斜状案内面６ｂには、係止穴１３ａと該係止穴１３ａに係止する係止突起１３ｂが形成される実施形態が存在する〔図９（Ａ），（Ｂ）参照〕。これは、可動案内部Ａ2 の仮停止状態をさらに確実にするものである。具体的には、係止穴１３ａが前記可動案内部Ａ2 の摺動案内片９ａに形成され、係止突起１３ｂが前記傾斜状案内面６ｂに形成され、その可動案内部Ａ2 が傾斜状案内面６ｂに位置しているときには、係止突起１３ｂが係止穴１３ａに挿入係止するものである。係止穴１３ａは係止穴１３ａに対して広く形成されていることが好ましい。これによって、可動案内部Ａ2 が傾斜状案内面６ｂに到達したときに係止突起１３ｂが係止穴１３ａに挿入し易くなり、また可動案内部Ａ2 が傾斜状案内面６ｂからの仮停止が解除されるときの動作もスムーズになる。
【００２１】
また、前記可動案内部Ａ2 と前記傾斜状案内面６ｂには、それぞれ磁性体１４，１４が固着されることもある〔図１０（Ａ），（Ｂ）参照〕。その両磁性体１４，１４の少なくともいずれか一方は永久磁石１４ａである。他方は、該永久磁石１４ａに吸着される材質とした被吸着材１４ｂである。そして、前記可動案内部Ａ2 の摺動案内片９ａと、前記傾斜状案内面６ｂに磁性体１４，１４が埋設される。例えば傾斜状案内面６ｂ側に埋設される磁性体１４を永久磁石１４ａとし、可動案内部Ａ2 側に埋設される磁性体１４を被吸着材１４ｂとする。これによって、可動案内部Ａ2 が傾斜状案内面６ｂに位置したときには、両磁性体１４，１４が吸着し、可動案内部Ａ2 の仮停止状態をより一層確実なものにできる。
【００２２】
次に、引戸Ｃについて説明する。該引戸Ｃは、第１引戸Ｃ1 と第２引戸Ｃ2 があり、その第１引戸Ｃ1 は、引戸枠１５，面板１６及び二つの上部ガイド輪１７、 １７が装着されている（図１，図２，図３等参照）。その引戸枠１５は、上部引戸枠１５ａと，下部引戸枠１５ｂと，縦枠１５ｃ，１５ｃから構成されている（図１参照）。これらによって面板１６が支持固定される。該面板１６は、主にガラス板が使用されるものであるが、その他にアクリル板等の透明な材質が好適である。また、面板１６は、必ずしも透明なものでなくともよく、木，金属等の板材でもよい。その上部ガイド輪１７には、高さ位置調整部１８が装着され、上部ガイド輪１７の高さ方向位置を適宜に設定することができる。
【００２３】
その高さ位置調整部１８は、揺動板１８ａ及び調整ネジ軸１８ｂから構成されており、その揺動板１８ａが上部引戸枠１５ａのガイド輪支持片１５ａ1 に揺動自在に装着され、その揺動板１８ａの一端に上部ガイド輪１７が装着されている〔図６（Ａ），（Ｂ），（Ｃ）参照〕。その揺動板１８ａと調整ネジ軸１８ｂとが枢支されている。その上部ガイド輪１７に係合ピン１９が装着されている。該係合ピン１９は、上部ガイド輪１７の軸と同一軸芯とすることが好ましいが、係合ピン１９は、前記戸締具Ａの可動案内部Ａ2 に係合可能であれば、いずれの位置に設けても構わない。また、第２引戸Ｃ2 は、前記第１引戸Ｃ1 と略同様の構成であり、その構成部材も同様であり、同一名称及び同一符号が使用される〔図６（Ｄ）参照〕。
【００２４】
次に、下部ガイド枠Ｄは、下枠部２０と下部ガイドレール２１とから構成されている。その下枠部２０は、頂板部２０ａと、取付部２０ｂと、垂下状側部２０ｃとから構成され、前記頂板部２０ａの幅方向の一端側に取付部２０ｂが形成され、他端側に垂下状側部２０ｃが形成されている。そして、前記頂板部２０ａの下面側に下部ガイドレール２１が装着される。
【００２５】
また、下部ガイドレール２１は、断面略下向き門形状をなし、下方に開口し、且つ長手方向に溝形状となるガイド溝２１ａが形成されている。該下部ガイドレール２１には下部ガイド輪２２が挿入するものである。該ガイド溝２１ａは、前記第１引戸Ｃ1 及び第２引戸Ｃ2 に合わせて２本形成されている。
【００２６】
また、図１１（Ａ），（Ｂ）に示されたものは、前記戸締具Ａが下部ガイド枠Ｄの下枠部２０に装着されたものである。この実施形態では、前記係合ピン１９は第１引戸Ｃ1 及び第２引戸Ｃ2 のそれぞれの下部引戸枠１５ｂに装着される〔図１１（Ｂ）参照〕。
【００２７】
【作用】
次に、本発明における戸締装置による引戸の戸締及び戸開きのそれぞれの動作を説明する。まず引戸Ｃの戸締動作を図７に基づいて説明すると、可動案内部Ａ2 は、初期状態で傾斜状案内面６ｂの位置に仮停止状態にある〔図７（Ａ）参照〕。そして、開き状態の引戸Ｃが戸締方向に移動すると、係合ピン１９が可動案内部Ａ2 に次第に近接し、前記係合ピン１９が可動案内部Ａ2 の第１係合片１０ａを越えて第２係合片１０ｂに当接する〔図７（Ｂ）参照〕。
【００２８】
次に、係合ピン１９はさらに戸締方向に移動し続けると、弾性部材１２の付勢力が加わって可動案内部Ａ2 は、傾斜状案内面６ｂから移動し、仮停止状態が解除される〔図７（Ｃ）参照〕。さらに可動案内部Ａ2 には、弾性部材１２による付勢力が戸締側にかかっており、可動案内部Ａ2 は戸締側に向かって移動する。
このとき係合ピン１９は第１係合片１０ａに係合し、第１係合片１０ａにより戸締側に案内され、係合ピン１９が装着されている引戸Ｃが戸締側に向かって移動し、戸締方向端部に到達して戸締動作を完了する〔図７（Ｄ）参照〕。
【００２９】
次に、引戸Ｃの戸開き動作を図８に基づいて説明する。まず可動案内部Ａ2 は、初期状態で戸締方向端部に位置しており、引戸Ｃ側の係合ピン１９は可動案内部Ａ2 の第１係合片１０ａに係合又は近接している〔図８（Ａ）参照〕。そして引戸Ｃを戸開き方向に強制的に移動させることで、係合ピン１９は第１係合片１０ａと係合を保持しつつ可動案内部Ａ2 を水平状案内面６ａに沿って戸開き側へ移動させる〔図８（Ｂ）参照〕。さらに、引戸Ｃを戸開き方向に移動させると、可動案内部Ａ2 は傾斜状案内面６ｂに沿って移動する。
【００３０】
その可動案内部Ａ2 は、傾斜状案内面６ｂを戸開き側に沿って移動することで、次第に下方にも移動することとなる〔図８（Ｃ）参照〕。そして、係合ピン１９は、第１係合片１０ａと係合状態が解除され、その可動案内部Ａ2 が傾斜状案内面６ｂに仮停止状態となり、その仮停止状態が保持される〔図８（Ｄ）参照〕。そして、可動案内部Ａ2 が傾斜状案内面６ｂに仮停止状態に保持されることにより、再度戸締動作が行われるのに適した状態となる。
【００３１】
【発明の効果】
請求項１の発明は、水平状案内面６ａの戸開き側端部より下向き傾斜状の傾斜状案内面６ｂが形成されてなる固定案内部６を設けた固定本体部Ａ1 と，前記固定案内部６に沿って移動自在で，常時戸締方向に弾性的に付勢され，前記傾斜状案内面６ｂで前記付勢に抗して仮停止する可動案内部Ａ2 からなる戸締具Ａと、前記可動案内部Ａ2 に係合及び解除可能な係合ピン１９を設けた引戸Ｃとからなり、該引戸Ｃの戸締動作時には前記係合ピン１９が傾斜状案内面６ｂに仮停止状態の可動案内部Ａ2 と係合してこれを保持し、前記引戸Ｃの戸開き動作時では前記係合ピン１９は前記傾斜状案内面６ｂ箇所で前記可動案内部Ａ2 と係合が解除されてなる引戸の戸締装置としたことにより、引戸Ｃが締方向端部に近接することで引戸Ｃが自然に移動し、引戸Ｃの締が確実に行われるし、その装置全体の構成を簡単な構造とすることができる等の効果を奏する。
【００３２】
上記効果を詳述すると、固定本体部Ａ1 には水平状案内面６ａと傾斜状案内面６ｂからなる固定案内部６が形成され、前記傾斜状案内面６ｂで付勢方向に抗して仮停止する可動案内部Ａ2 が設けられているものであり、可動案内部Ａ2 の仮停止状態を保持するための構造を極めて簡単にすることができる。そして、傾斜状案内面６ｂを利用して可動案内部Ａ2 を仮停止状態とするので、この仮停止状態を解除するのも、引戸Ｃを戸締方向に移動させて係合ピン１９により可動案内部Ａ2 を戸締方向に移動させるようにすることで、確実に行われ、作動ミスが生じにくいものにできる。
【００３３】
請求項２の発明は、水平状案内面６ａと，該水平状案内面６ａの戸開き側端より下向き傾斜状に形成された傾斜状案内面６ｂとからなる固定案内部６を設けた固定本体部Ａ1 と，前記固定案内部６に沿って移動自在とし弾性部材１２を介して常時戸締方向に付勢され，前記傾斜状案内面６ｂでは前記付勢に抗して仮停止可能な可動案内部Ａ2 とからなる戸締具Ａと、戸締動作では傾斜状案内面６ｂに仮停止状態の可動案内部Ａ2 に係合しこれを保持し，戸開き動作では傾斜状案内面６ｂ箇所で係合が解除される係合ピン１９が設けられた引戸Ｃとからなる引戸の戸締装置としたことにより、戸締動作のアシストが確実に行われ、且つ構造を簡単にすることができる。即ち、前記可動案内部Ａ2 の付勢力に抗して仮停止状態となるのは傾斜状案内面６ｂによるものであり、これによって、動作は確実になり、且つ構造を極めて簡単にすることができる。
【００３４】
請求項３の発明は、請求項１において、前記戸締具Ａが装着される上部ガイド枠Ｂには上部ガイドレール２を有し、前記引戸には前記上部ガイドレール２に対応して回動する上部ガイド輪１７が装着され、前記係合ピン１９は上部ガイド輪１７の車軸と同一軸芯としてなる引戸の戸締装置としたことにより、その動作を安定させることができる。即ち、上部ガイド輪１７は、引戸Ｃの移動時に、最も安定した状態で移動する部位であり、さらに、その車軸は、常時一定の高さに維持される。前記係合ピン１９は、その車軸の高さに一致しているので、高さ位置が一定状態で移動するので、戸締具Ａの可動案内部Ａ2 との係合動作がより一層確実にすることができる。
【００３５】
次に、請求項４の発明は、請求項１，２又は３において、前記可動案内部Ａ2 と、前記傾斜状案内面６ｂのいずれか一方には係止穴１３ａが形成され、他方には前記係止穴１３ａに係止する突起１３ｂが形成されてなる引戸の戸締装置としたことにより、可動案内部Ａ2 の仮停止を安定したものにでき、僅かの衝撃では、付勢により戸締位置に移動することを防止することができる。
【００３６】
請求項５の発明は、請求項１，２又は３において、前記可動案内部Ａ2 と、前記傾斜状案内面６ｂにはそれぞれ磁性体１４を固着し、少なくともいずれか一方の磁性体は永久磁石１４ａとしてなる引戸の戸締装置としたことにより、可動案内部Ａ2 の仮停止状態をさらに一層安定させることができる。
【図面の簡単な説明】
【図１】本発明における戸締装置を設けた家具の正面略示図
【図２】（Ａ）は本発明における戸締状態の一部断面にした要部正面図
（Ｂ）は本発明における戸開き状態の一部断面にした要部正面図
【図３】本発明における戸締装置設けた上部ガイド枠箇所の要部拡大縦断側面図
【図４】戸締具の斜視図
【図５】（Ａ）は戸締具の正面図
（Ｂ）は戸締具の縦断正面図
（Ｃ）は（Ａ）のＸ1 −Ｘ1 矢視拡大断面図
【図６】（Ａ）は上部引戸枠の背面図
（Ｂ）は第１引戸の上部引戸枠の要部斜視図
（Ｃ) は第１引戸の上部引戸枠の一部断面にした要部裏面図
（Ｄ）は第２引戸の上部引戸枠の要部斜視図
【図７】（Ａ）は引戸の戸締動作において戸締装置に上部ガイド輪が近づいている状態を示す作用図
（Ｂ）は戸締装置の可動案内部に上部ガイド輪の係合ピンが当接した状態を示す作用図
（Ｃ）は係合ピンにより可動案内部が傾斜状案内面から水平状案内面に移動している状態の作用図
（Ｄ）は弾性部材により可動案内部とともに係合ピンが戸締側端に到達した状態の作用図
【図８】（Ａ）は引戸の開き動作において係合ピンが可動案内部を戸開き方向に移動している状態を示す作用図
（Ｂ）は可動案内部が水平状案内面の端部に到達した状態を示す作用図
（Ｃ）は可動案内部が傾斜状案内面に位置した状態を示す作用図
（Ｄ）は係合ピンが可動案内部から離間した状態の作用図
【図９】（Ａ）は可動案内部と傾斜状案内面に係止穴及び係止突起を形成した実施形態の拡大断面図
（Ｂ）は（Ａ）における可動案内部の下面側より見た斜視図
【図１０】（Ａ）は可動案内部と傾斜状案内面にそれぞれ磁性体を設けた実施形態の拡大断面図
（Ｂ）は（Ａ）における可動案内部の下面側より見た斜視図
【図１１】（Ａ）は下部ガイド枠に戸締装置を装着した実施形態の斜視図
（Ｂ）は下部ガイド枠に戸締装置を装着した実施形態の縦断側面図
【符号の説明】
Ａ…戸締具
Ａ1 …固定本体部
Ａ2 …可動案内部
Ｃ…引戸
６…固定案内部
６ａ…水平状案内面
６ｂ…傾斜状案内面
１２…弾性部材
１３ａ…係止穴
１３ｂ…係止突起
１４…磁性体
１４ａ…永久磁石
１７…上部ガイド輪
１９…係合ピン
【図１】
0004544778.tif 000002
【図２】
0004544778.tif 000003
【図３】
0004544778.tif 000004
【図４】
0004544778.tif 000005
【図５】
0004544778.tif 000006
【図６】
0004544778.tif 000007
【図７】
0004544778.tif 000008
【図８】
0004544778.tif 000009
【図９】
0004544778.tif 000010
【図１０】
0004544778.tif 000011
【図１１】
0004544778.tif 000012